(57)【特許請求の範囲】
【請求項１】
幅方向の両端に凸形状の支持部が設けられ、少なくとも屋外側支持部（４）は長手方向に空洞を有し、幅方向に弾力性のある横樋に用いられる軒樋支持具であって、
曲がり樋（９）又は集水器（７）と横樋との連結部分に用いる軒樋受け具（２）と、横樋の長手方向中央部分に用いる軒樋吊り具（３）と、から構成され、
前記軒樋受け具が、
ａ）軒板に固定され、横樋が回動自在になるように一端が前記屋外側支持部の空洞に差し込まれるピン（１１）を固着した受け具を有する受け具ベース（１２）、
ｂ）前記受け具ベースに固着され、円周方向に弾性力を持つ丸型軒樋（１）が、樋ガイド（１３）の円周方向に沿って装着されることにより、雨漏れなどを引き起こす隙間を生じず、横樋の屋内側支持部（５）が嵌脱可能な受け具ベースクランパ（１５）を有する樋ガイド（１３）、
を備え、
前記軒樋吊り具が、
ｃ）軒板に立設され先端に曲がり部を有する吊り具ベース（１６）、
ｄ）前記吊り具ベースに固着され、前記屋内側支持部を嵌脱可能な吊りクランプ（２０）と、横樋が回動自在になるように前記曲がり部と共に前記屋外側支持部を挟持してヒンジ部（１８）を構成する吊り具クランパ（１９）と、を有するクランプ板（１７）、
を備えることを特徴とする軒樋支持具。
【請求項２】
請求項１に記載の軒樋支持具を備えることを特徴とする軒樋。
【発明の詳細な説明】
【技術分野】
【０００１】
本発明は、軒樋に係り、特に中にたまった落葉や泥などの異物を清掃しやすい軒樋及びその支持具に関する。
【背景技術】
【０００２】
雨樋構造の大部分を構成している軒樋は、屋根の雨水を迅速に集水器や縦樋に流し、地上に雨水を導く役割を有する。この軒樋には落葉や泥が蓄積しやすく、その結果、雨水を地上へ流せなくなることがある。
【０００３】
このため、軒樋を回転させることにより、軒樋内の落葉や泥を清掃しやすくする構造が提案されている（例えば、特許文献１及び２参照。）。
【特許文献１】特開２０００−１７９１１０号公報
【特許文献２】特開２００７−１８６９１４号公報
【発明の開示】
【発明が解決しようとする課題】
【０００４】
以上に述べた従来技術では、例えば、特許文献１においては、軒樋を回転するために、回転操作棒、樋受けスライド棒及びスライドカバーなどを軒樋に取り付ける構造を有している。このため、軒樋の大幅な追加工もしくは新たな製造が必要である。また、特許文献２においては、軒樋を回転するために、軒樋と軒の回転支持系として金具を、また、軒樋の回転運動の伝達に金具と支持棒を、さらに、それらの構造を支える大掛かりな構造体が必要となり、一般住宅に適用することが難しい。
本発明は、このような従来技術が有していた問題を解決しようとするものであり、既設の軒樋への簡易な追加工により、安全かつ簡単に軒樋内の異物を清掃することができる軒樋及びその支持具を提供することを目的とするものである。
【課題を解決するための手段】
【０００５】
上記目的を達成するために、本発明の軒樋支持具は、軒板に固定される受け具ベースと、前記受け具ベースに固着され、一端に軒樋を脱着可能な受け具ベースクランパを備え、他端に前記軒樋端部の空洞部に差し込まれる固着されたピンを備える樋ガイドと、からなり、前記ピンを回転軸として、前記軒樋が脱着可能であることを特徴とする。
【０００６】
また、軒板に固定され、一端にヒンジ部を備える吊り具ベースと、前記吊り具ベースに固着され、一端に軒樋を脱着可能な吊りクランプを備え、他端に前記軒樋端部が収納保持される吊り具クランパを備えるクランプ板と、からなり、前記軒樋が前記ヒンジ部により回動可能であることを特徴とする。
【０００７】
また、本発明の軒樋は、上記の軒樋支持具を備えることを特徴とする。
【発明の効果】
【０００８】
上述したように、本発明の軒樋及びその支持具によれば、軒樋への簡易な追加工により、地上やベランダから、安全かつ簡単に軒樋内の異物を清掃することができるようになる。
【０００９】
また、既存の軒樋に軒樋支持具の追設のみで目的を達成するため、高価な型を必要とする雨樋部品（軒樋、集水器、縦樋、曲がり樋など）を新たに製造する必要がなく、一般住宅に低コストで施工できる。
【００１０】
さらに、積雪において軒樋に上方向からの過剰な力が働いた場合、回転させることによって過剰な力を逃がし、軒樋の破損を防ぐことができる効果もある。
【発明を実施するための最良の形態】
【００１１】
以下、本発明の実施の形態を図に基づいて説明する。
図１は本発明の軒樋支持具を丸型軒樋（１）に取り付けた状態を示す。軒樋支持具は、軒樋受け具（２）と軒樋吊り具（３）から構成される。また、軒樋回転補助具（１０）は、丸型軒樋（１）を軒樋支持具から外す場合に用いる。なお、軒樋受け具（２）は、丸型軒樋（１）と曲がり樋（９）あるいは集水器（７）との連結部分に主に用い、また、軒樋吊り具（３）は長い丸型軒樋（１）の支持に用いる。なお、軒樋受け具（２）は、長い丸型軒樋（１）の支持に用いることを妨げない。連結方法など詳細については後述する。
図２は丸型軒樋（１）の断面である。丸型軒樋（１）の断面形状は、耐久性と強度を保持するために半円形になっている。また、半円形状の軒樋の両端部は凸形状の外側支持部（４）と内側支持部（５）を有しており、少なくとも軒板と反対側の外側支持部（４）は、直径４ｍｍ程度の空洞部（６）を有している。この外側支持部（４）と内側支持部（５）は、丸型軒樋（１）の長さ方向の剛性を高めるとともに、曲がり樋等との連結機能を有している。また、丸型軒樋（１）は円周方向に弾性力を持っている。本発明の軒樋支持具と軒樋の着脱では、前記弾性力を利用する。
【００１２】
図３は軒樋受け具（２）を丸型軒樋（１）に装着した状態を示す。軒樋受け具（２）の一方の側部には、長さ４０ｍｍ程度の丸型軒樋を差し込み、この部分を曲がり軒樋に連結する。外側支持部（４）と内側支持部（５）を曲がり軒樋（９）の両上端部にはめ込むと共に、丸型軒樋の縁全体が曲がり軒樋にはめ込まれて連結される。軒樋受け具（２）の他方の側部には、長い丸型軒樋（１）を差し込む。
【００１３】
軒樋受け具は、図４の如く、受け具ベース（１２）、樋ガイド（１３）、ピン（１１）から構成される。受け具ベース（１２）は軒板（１４）にネジなどで固定される。受け具ベース（１２）と樋ガイド（１３）は溶接等で固着される。また、樋ガイド（１３）の先端には、直径が約３ｍｍのピン（１１）が溶接等で固着される。ピン（１１）の片側は、図３の曲がり樋に装着される長さ４０ｍｍ程度の丸型軒樋の空洞部（６）に差し込まれる。また、片側の長い丸型軒樋にはピン（１１）の反対側が差し込まれ、この部位が丸型軒樋（１）の回転軸となる。
【００１４】
図５に、軒樋受け具の断面と丸型軒樋の着脱及び回転動作を示す。樋ガイド（１３）には受け具ベースクランパ（１５）があり、丸型軒樋（１）の内側支持部（５）をクランプ可能である。丸型軒樋（１）を軒樋受け具に装着する場合の動作は次の通りである。丸型軒樋（１）をピン（１１）を回転軸として回転させると、内側支持部（５）が下方から受け具ベースクランパ（１５）を押しのけて中にはまり込む。この時、丸型軒樋（１）は円周方向に弾性力を持っているので、樋ガイド（１３）の円周方向に沿って丸型軒樋（１）は装着される。したがって、雨漏れなどを引き起こす隙間は生じない。
一方、丸型軒樋（１）を軒樋受け具から外す場合の動作は次の通りである。軒樋回転補助具（１０）により受け具ベースクランパ（１５）に外力を加えると、丸型軒樋（１）はピン（１１）を回転軸として外れ、丸型軒樋内部が掃除可能となる。
【００１５】
図６は軒樋吊り具（３）の斜視図である。軒樋吊り具は吊り具ベース（１６）とクランプ板（１７）より構成される。吊り具ベース（１６）は軒板（１４）にネジなどで固定される。
【００１６】
クランプ板（１７）の軒板（１４）と反対側先端には、吊り具クランパ（１９）を設ける。これが丸型軒樋（１）の回転軸となるヒンジ部（１８）となる。施工時に、丸型軒樋の外側支持部（４）を吊り具クランパ（１９）の中に押し込む。この時、吊り具クランパ（１９）が弾性力で後退し、外側支持部（４）は中に納まり、ヒンジ部（１８）となる。吊り具クランパ（１９）は、丸型軒樋（１）を回転しても外側支持部（４）が脱落しないような形状を有している。
【００１７】
図７に軒樋吊り具の断面と丸型軒樋の着脱及び回転動作を示す。吊りプランプ（２０）は丸型軒樋（１）の内側支持部（５）を差し込むと後退し、内側支持部（５）をクランプする。一方、丸型軒樋の外側支持部（４）は、吊り具クランパ（１９）と吊り具ベース（１６）の先端曲がり部で構成されるヒンジ部（１８）に収まる。軒樋回転補助具（１０）により吊りクランプ（２０）に外力を加えると、丸型軒樋（１）の内側支持部（５）が外れ、ヒンジ部（１８）を回転軸として丸型軒樋（１）は外れ、内部の掃除が可能となる。
【００１８】
上述は、丸型軒樋の場合についてであるが、本発明はこの実施形態に限定されるものではなく、角型軒樋についても適用される。この場合も、軒樋支持具の構造は基本的に同じである。図８は角型軒樋の断面構造である。丸型軒樋と同様に、両端部には凸形状の外側支持部（４）と内側支持部（５）を有しており、少なくとも軒板と反対側の外側支持部（４）は、直径４ｍｍ程度の空洞部（６）を有している。空洞部（６）を利用し、丸型軒樋と同じ仕組みを使用することにより、内側支持部（５）の簡単な脱着と外側支持部（４）を回転軸にした回転により、角型軒樋も回転動作をし、内部が掃除可能となる。
【図面の簡単な説明】
【００１９】
【図１】本発明の軒樋及びその支持具の取り付け状態である。
【図２】丸型軒樋の断面構造である。
【図３】本発明の軒樋受け具の軒樋への装着状態である。
【図４】本発明の軒樋受け具の斜視図である。
【図５】本発明の軒樋受け具と軒樋の脱着動作である。
【図６】本発明の軒樋吊り具の斜視図である。
【図７】本発明の軒樋吊り具と軒樋の脱着動作である。
【図８】角型軒樋の断面構造である。
【符号の説明】
【００２０】
１    丸型軒樋
２    軒樋受け具
３    軒樋吊り具
４    外側支持部
５    内側支持部
６    空洞部
７    集水器
８    縦樋
９    曲がり樋
１０  軒樋回転補助具  
１１  ピン
１２  受け具ベース
１３  樋ガイド
１４  軒板
１５  受け具ベースクランパ
１６  吊り具ベース
１７  クランプ板
１８  ヒンジ部
１９  吊り具クランパ
２０  吊りクランプ
【図１】
0004419029.tif 000002
【図２】
0004419029.tif 000003
【図３】
0004419029.tif 000004
【図４】
0004419029.tif 000005
【図５】
0004419029.tif 000006
【図６】
0004419029.tif 000007
【図７】
0004419029.tif 000008
【図８】
0004419029.tif 000009